(57)【要約】【課題】  情報処理装置を用いて作業する作業者の生産性を、作業環境を改変することなく、作業を妨害、中断することなく最適に向上できる制御装置、情報処理装置、制御方法およびプログラムを提供する。【解決手段】  情報処理装置を扱う作業者の生産性に関連する精神状態に、ポジティブに作用する画像および文字を含む閾下情報をデータとして記憶する閾下情報記憶部と、前記閾下情報記憶部が記憶する閾下情報を取得し、前記情報処理装置の作業用表示データを受信し、前記作業者の意識にのぼる情報としての作業画面と前記作業者の意識にはのぼらない前記閾下情報を表示デバイスに出力する閾下情報制御部とを含む制御装置。【選択図】      図１
2015018526.tif 000002
【特許請求の範囲】
【請求項１】
情報処理装置を扱う作業者の生産性に関連する精神状態に、ポジティブに作用する画像および文字を含む閾下情報を記憶する閾下情報記憶部と、
前記閾下情報記憶部が記憶する閾下情報を取得し、前記情報処理装置の作業用表示データと前記閾下情報に基づき、前記作業者の意識にのぼる情報としての作業画面と前記作業者の意識にはのぼらない前記閾下情報を、表示部に表示すよう制御する閾下情報制御部と
を含む制御装置。
【請求項２】
前記情報処理装置の処理内容を判断して、前記処理内容に最も適した閾下情報を前記閾下情報記憶部から選択し、前記閾下情報制御部に送信する閾下情報選択部と
をさらに含み、
前記閾下情報制御部が、前記閾下情報選択部から前記閾下情報を受信し、前記作業者の意識にのぼる情報としての作業画面と、前記作業者の意識にはのぼらない前記閾下情報を、前記表示部に表示するよう制御する請求項１記載の制御装置。
【請求項３】
前記閾下情報を表示する直前の作業画面の情報に基づいて、前記閾下情報を表示する直前の作業画面の色と補色関係になるように色を配置した補色画面を生成し、前記閾下情報制御部に送信する補色画面制御部をさらに含み、
前記閾下情報制御部が、前記作業者の意識にのぼる情報としての作業画面と、前記補色画面制御部から受信した補色画面と、前記作業者の意識にはのぼらない前記閾下情報とを、前記表示部に表示するよう制御する請求項１または２に記載の制御装置。
【請求項４】
請求項１ないし３のいずれか１項に記載の制御装置と、少なくとも前記作業者の意識にのぼる情報としての作業画面と前記作業者の意識にはのぼらない前記閾下情報とを表示する表示部とを含む情報処理装置。
【請求項５】
情報処理装置を扱う作業者の生産性に関連する精神状態に、ポジティブに作用する画像および文字を含む閾下情報を閾下情報記憶部に記憶し、
前記閾下情報記憶部が記憶する閾下情報を取得し、前記情報処理装置の作業用表示データと前記閾下情報途に基づき、前記作業者の意識にのぼる情報としての作業画面と前記作業者の意識にはのぼらない前記閾下情報を、表示部に表示するよう制御する
制御方法。
【請求項６】
前記情報処理装置の処理内容を判断して、前記処理内容に最も適した閾下情報を前記閾下情報記憶部から選択し、
前記閾下情報記憶部から選択された前記閾下情報を受信し、前記作業者の意識にのぼる情報としての作業画面と、前記作業者の意識にはのぼらない前記閾下情報を、前記表示部に表示するよう制御する請求項５記載の制御方法。
【請求項７】
前記閾下情報を表示する直前の作業画面の情報に基づいて、前記閾下情報を表示する直前の作業画面の色と補色関係になるように色を配置した補色画面を生成し、
前記作業者の意識にのぼる情報としての作業画面と、前記補色画面と、前記作業者の意識にはのぼらない前記閾下情報とを、前記表示部に表示するよう制御する請求項５または６に記載の制御方法。
【請求項８】
情報処理装置を扱う作業者の生産性に関連する精神状態に、ポジティブに作用する画像および文字を含む閾下情報を閾下情報記憶部から取得し、
前記情報処理装置の作業用表示データを受信し、前記作業者の意識にのぼる情報としての作業画面と前記作業者の意識にはのぼらない前記閾下情報を、表示部に表示するよう制御する
処理をコンピュータに実行させるプログラム。
【請求項９】
前記情報処理装置の処理内容を判断して、前記処理内容に最も適した閾下情報を前記閾下情報記憶部から選択し、
前記閾下情報記憶部から選択された前記閾下情報を受信し、前記作業者の意識にのぼる情報としての作業画面と、前記作業者の意識にはのぼらない前記閾下情報を、前記表示部に表示するよう制御する処理
をコンピュータに実行させる請求項８記載のプログラム。
【請求項１０】
前記閾下情報を表示する直前の作業画面の情報に基づいて、前記閾下情報を表示する直前の作業画面の色と補色関係になるように色を配置した補色画面を生成し、  前記作業者の意識にのぼる情報としての作業画面と、前記補色画面と、前記作業者の意識にはのぼらない前記閾下情報とを、前記表示部に表示するよう制御する処理
をコンピュータに実行させる請求項８または９に記載のプログラム。
【発明の詳細な説明】
【技術分野】
【０００１】
本発明は、情報処理装置を用いた作業の生産性を向上させる場合に適用しうる装置及び制御方法およびプログラムに関する。
【背景技術】
【０００２】
テレビジョン装置（もしくはディスプレイ装置）において、意識に上らない画像または色彩、語句により脳を刺激する装置が知られている。このテレビジョン装置（もしくはディスプレイ装置）は、脳の刺激により、通常以上の能力向上または人体の要求誘発を図る。
【０００３】
この種のテレビ（テレビジョン装置）の一例が特許文献１に記載されている。特許文献１に記載されたテレビは、文字、画像及び音声による暗示メッセージを、視聴者がほとんど知覚できないように瞬間的に又は可聴領域外の音声で繰り返し再生する。これにより、潜在意識に暗示メッセージに係る情報を視聴者に送り込み、自己改善を図る。
【０００４】
また、特許文献２に記載されたディスプレイ装置は、サブリミナル効果を利用し、感情的、本能的、あるいは生理的な人体の要求を誘発する。
【０００５】
また、特許文献３に記載された記憶力向上システムは、語句による左脳の刺激と色彩による右脳の刺激を同時に励起し、記憶力を向上させる。
【０００６】
また、特許文献４に記載されたテレビは、ユーザが望むであろう目的のサブリミナル効果を推測して最適なサブリミナル効果を与える画像を選び出す。
【先行技術文献】
【特許文献】
【０００７】
【特許文献１】特開平０２−１２１６７４号公報
【特許文献２】特開平０５−２４４５３０号公報
【特許文献３】特開２００５−１７３０８１号公報
【特許文献４】特開２００８−０７８７０４号公報
【発明の概要】
【発明が解決しようとする課題】
【０００８】
しかしながら、上述した特許文献１、２、４に記載された技術は、映像を受動的に視聴するテレビジョン装置に適用されるものである。したがって、特許文献１、２、４に記載された技術は、情報処理装置を用いて能動的に作業する作業者の生産性向上には適用できないという問題点がある。
【０００９】
また、特許文献３に記載された技術は、色彩と関連付けて語句を覚える記憶力向上のためのシステムである。したがって、目的が語句の記憶ではない通常の情報処理装置を用いた作業には適用できないという問題点がある。
【００１０】
本発明の目的の一例は、上述した問題点を解決できる制御装置、情報処理装置、制御方法およびプログラムを提供することにある。
【課題を解決するための手段】
【００１１】
本発明の一形態における第１の制御装置は、情報処理装置を扱う作業者の生産性に関連する精神状態に、ポジティブに作用する画像および文字を含む閾下情報を記憶する閾下情報記憶部と、前記閾下情報記憶部が記憶する閾下情報を取得し、前記情報処理装置の作業用表示データと前記閾下情報に基づき、前記作業者の意識にのぼる情報としての作業画面と前記作業者の意識にはのぼらない前記閾下情報を、表示部に表示すよう制御する閾下情報制御部とを備える。
【００１２】
本発明の一形態における第１の制御方法は、情報処理装置を扱う作業者の生産性に関連する精神状態に、ポジティブに作用する画像および文字を含む閾下情報を閾下情報記憶部に記憶し、前記閾下情報記憶部が記憶する閾下情報を取得し、前記情報処理装置の作業用表示データと前記閾下情報途に基づき、前記作業者の意識にのぼる情報としての作業画面と前記作業者の意識にはのぼらない前記閾下情報を、表示部に表示するよう制御する。
【００１３】
本発明の一形態における第１のプログラムは、コンピュータに、情報処理装置を扱う作業者の生産性に関連する精神状態に、ポジティブに作用する画像および文字を含む閾下情報を閾下情報記憶部から取得し、前記情報処理装置の作業用表示データを受信し、前記作業者の意識にのぼる情報としての作業画面と前記作業者の意識にはのぼらない前記閾下情報を、表示部に表示するよう制御する処理を実行させる。
【発明の効果】
【００１４】
本発明によれば、情報処理装置を用いて作業する作業者の生産性を、作業環境を改変することなく、作業を妨害、中断することなく最適に向上できるという効果が得られる。
【図面の簡単な説明】
【００１５】
【図１】図１は、本発明の第１の実施形態の構成を示すブロック図である。
【図２】図２は、第１の実施の形態における制御装置１００および情報処理装置２００をコンピュータ装置とその周辺装置で実現したハードウェア構成を示す図である。
【図３】図３は、第１の実施の形態における制御装置１００の閾下情報提示の動作を示すフローチャートである。
【図４】図４は、本発明の第２の実施形態の構成を示すブロック図である。
【図５】図５は、第２の実施の形態における制御装置１０１の閾下情報提示の動作を示すフローチャートである。
【図６】図６は、本発明の第３の実施形態の構成を示すブロック図である。
【図７】図７は、第３の実施の形態における制御装置１０２の閾下情報提示の動作を示すフローチャートである。
【発明を実施するための形態】
【００１６】
次に、本発明の実施形態について図面を参照して詳細に説明する。
【００１７】
［第１の実施の形態］
図１は、本発明の第１の実施の形態における生産性を向上させる制御装置１００およびそれを使用する情報処理装置２００の構成を示すブロック図である。図１を参照すると、制御装置１００は、閾下情報制御部１１０と閾下情報記憶部１２０と、を備える。また、情報処理装置２００は、制御装置１００とともに表示部２１０と作業情報処理部２２０と、を備える。
【００１８】
本発明において、閾下情報（サブリミナル情報）とは、情報処理装置の作業者の意識の上らない閾下刺激を与えるための情報である。その閾下情報は、覚醒度を向上させるための赤色画像、集中を促進する黄色画像、ストレス低減のための風景画像、または、心理的な体感温度を変化させる画像、を含む、生産性に関連する精神状態にポジティブに作用する画像の情報である。閾下情報には、画像のほかに文字情報あるいは音声情報が含まれていてもよい。
【００１９】
次に、第１の実施の形態における制御装置１００および情報処理装置２００の構成について説明する。
【００２０】
閾下情報制御部１１０は、閾下情報記憶部１２０が記憶する閾下情報を取得し、作業情報処理部２２０から、表示部２１０に作業のための画面（作業画面）を表示させるための作業用表示データを受信する。また、閾下情報制御部１１０は、作業用表示データと閾下情報を、それぞれ作業者の意識にのぼる情報としての作業画面と、作業者の意識にはのぼらない閾下情報として、表示部２１０に表示するよう制御する。作業画面と閾下情報の表示を制御する手法としては、作業画面の表示中に極短時間だけ閾下情報を挿入する方法、または、左右の眼に別々の画像を表示しコントラストに差をつける方法、具体的には表示部２１０を少なくとも左眼表示部と右眼表示部を含む構成とし、閾下情報制御部１１０が作業用表示データを、所望の効果を発揮するように左眼表示部用の作業用表示データと右眼表示部用の作業用表示データとして処理し、表示するよう制御する方法がある。これ以外の、閾下情報提示に用いられる一般的な手法を適用してもよい。
【００２１】
閾下情報記憶部１２０は、閾下情報をデータとして記憶する。
【００２２】
表示部２１０は、閾下情報制御部１１０から受信した作業画面と閾下情報を、閾下情報制御部１１０の制御の下に表示する。
【００２３】
作業情報処理部２２０は、作業者が利用する情報処理装置２００を用いた作業を処理する。
【００２４】
図２は、本発明の第１の実施の形態における情報処理装置２００をコンピュータおよびその周辺装置で実現したハードウェア構成を示す図である。図２に示されるように、情報処理装置２００は、ＣＰＵ１１、出力装置１２、入力装置１３、主記憶装置１４、および二次記憶装置１５を含む。
【００２５】
ＣＰＵ１１は、オペレーティングシステムを動作させて本発明の第１の実施の形態に係る情報処理装置２００の全体を制御する。また、ＣＰＵ１１は、例えば二次記憶装置１５から主記憶装置１４にプログラムまたはデータを読み出す。そして、ＣＰＵ１１は、第１の実施の形態における閾下情報制御部１１０、作業情報処理部２２０として機能し、プログラム制御に基づいて各種の処理を実行する。また、ＣＰＵ１１は、１つに限らず２つ以上備えていてもよい。この場合、閾下情報制御部１１０、作業情報処理部２２０は、それぞれ異なるＣＰＵであってもよい。
【００２６】
出力装置１２は、例えばディスプレイ、表示器で実現され、出力を確認するために用いられる。第１の実施の形態においては表示部２１０として機能する。
【００２７】
入力装置１３は、例えばマウスやキーボード、内蔵のキーボタンなどで実現され、入力操作に用いられる。入力装置１３は、マウスやキーボード、内蔵のキーボタンに限らず、例えばタッチパネルでもよい。本実施の形態の場合、作業者による作業はこの入力装置１３の操作に基づいて実施されてもよい。
【００２８】
二次記憶装置１５は、例えば光ディスク、フレキシブルディスク、磁気光ディスク、外付けハードディスク、または半導体メモリ等であって、コンピュータプログラムをコンピュータ読み取り可能に記録する。二次記憶装置１５は、制御装置１００または情報処理装置２００が実行するためのコンピュータプログラムを一時的に記憶するまたは非一時的に記憶する。また、コンピュータプログラムは、通信網に接続されている図示しない外部コンピュータからダウンロードされてもよい。第１の実施の形態においては閾下情報記憶部１２０として機能する。
【００２９】
なお、第１の実施の形態の説明において利用されるブロック図（図１）には、ハードウェア単位の構成ではなく、機能単位のブロックが示されている。これらの機能ブロックは図２に示されるハードウェア構成によって実現される。ただし、情報処理装置２００が備える各部の実現手段は特に限定されない。すなわち、情報処理装置２００は、物理的に結合した一つの装置により実現されてもよいし、物理的に分離した二つ以上の装置を有線または無線で接続し、これら複数の装置により実現されてもよい。
【００３０】
以上のように構成された制御装置１００の動作について、図３のフローチャートを参照して説明する。
【００３１】
図３は、第１の実施の形態における制御装置１００での閾下情報提示の動作の概要を示すフローチャートである。尚、このフローチャートによる処理は、前述したＣＰＵによるプログラム制御に基づいて、実行されても良い。
【００３２】
図３に示すように、まず、閾下情報制御部１１０は、表示部２１０に出力する閾下情報を閾下情報記憶部１２０から取得する（ステップＳ１０１）。
【００３３】
次に、閾下情報制御部１１０は、作業情報処理部２２０から、表示部２１０に表示させる作業用表示データを受信する（ステップＳ１０２）。
【００３４】
次に、閾下情報制御部１１０は、閾下情報と作業用表示データを表示部２１０に供給し、作業者の意識にのぼる情報としての作業画面と、意識にはのぼらない閾下情報として、表示部２１０に表示させるよう制御する（ステップＳ１０３）。
【００３５】
この結果、表示部２１０は、ステップＳ１０３での閾下情報制御部１１０による制御の下に、作業画面と閾下情報を表示する（ステップＳ１０４）。
【００３６】
以上で、制御装置１００は、閾下情報提示の動作を終了する。
【００３７】
次に、本発明の第１の実施の形態の効果について説明する。
【００３８】
上述した本実施形態における制御装置１００は、作業環境を改変することなく、作業を妨害、中断することなく作業者の作業の生産性を向上できる。
【００３９】
その理由は、以下のような構成を含むからである。即ち、閾下情報制御部１１０は、作業者の意識にのぼる作業画面と、作業者の意識にはのぼらない閾下情報を表示部２１０に出力する。閾下情報とは、たとえば、覚醒度を向上させるための赤色画像、集中を促進する黄色画像、ストレス低減のための風景画像、または、心理的な体感温度を変化させる画像を含む、生産性に関連する精神状態にポジティブに作用する画像および文字の情報である。これにより、情報処理装置２００は、作業者が意識することなく、生産性に関連する精神状態にポジティブに作用する画像および文字の情報を表示するので、制御装置１００は、作業環境を改変することなく、作業を妨害、中断することなく作業者の作業の生産性を向上できるという効果が得られる。
【００４０】
［第２の実施形態］
次に、本発明の第２の実施形態について図面を参照して詳細に説明する。以下、本実施形態の説明が不明確にならない範囲で、前述の説明と重複する内容については説明を省略する。
【００４１】
図４は、本発明の第２の実施形態に係る生産性を向上させる制御装置１０１およびそれを使用する情報処理装置２０１の構成を示すブロック図である。
【００４２】
図４を参照すると、本実施形態における制御装置１０１は、第１の実施形態のそれと比べて、閾下情報選択部１３０を新たに備える。また、閾下情報制御部１１０に代えて、機能が一部異なる閾下情報制御部１１１を備える。
【００４３】
閾下情報選択部１３０は、作業情報処理部２２０の処理内容を判断する。処理内容の判断では、例えば、作業者の作業内容に応じたアプリケーションとして、どのアプリケーションを実行しているかを判断する。そして閾下情報選択部１３０は、判断結果（実行されているアプリケーション）に基づいて、作業内容に最も適した閾下情報を閾下情報記憶部１２０から選択し、取得した閾下情報を閾下情報制御部１１１に送信する。処理内容に最も適した閾下情報の選択は、例えば、作業内容が羅列された数字を扱う必要がある表計算作業では、集中を促進する黄色画像を閾下情報として選択するといったように、作業の種類に合わせて最適に精神状態を向上させるように、選択対象をあらかじめ設定することにより実行する。実行されるアプリケーションと閾下情報との選択の組み合わせを記憶するための記憶部またはデータベースを別途用意してもよいし、図２の二次記憶装置１００にあらかじめ記憶されていてもよい。この場合、閾下情報選択部１３０は、あらかじめ記憶された組み合わせに応じて閾下情報を選択する。
【００４４】
閾下情報制御部１１１は、閾下情報選択部１３０から閾下情報を受信し、作業情報処理部２２０から、表示部２１０に表示させる作業用表示データを受信する。さらに、閾下情報制御部１１１は、意識にのぼる情報としての作業画面と、意識にはのぼらない閾下情報を、表示部２１０に表示するよう制御する。
【００４５】
次に、制御装置１００の動作について図５に示すフローチャートを参照して説明する。
【００４６】
図５は、第２の実施の形態における制御装置１０１での閾下情報提示の動作の概要を示すフローチャートである。尚、このフローチャートによる処理は、前述したＣＰＵによるプログラム制御に基づいて、実行されても良い。
【００４７】
図３に示すように、まず、閾下情報選択部１３０は、作業情報処理部２２０の処理内容、例えば、作業のためのどのアプリケーションを実行しているかを判断して、処理内容に最も適した閾下情報を閾下情報記憶部１２０から選択取得し、閾下情報制御部１１１に送信する（ステップＳ２０１）。
【００４８】
次に、閾下情報制御部１１１は、作業情報処理部２２０から、表示部２１０に表示させる作業用表示データを受信する（ステップＳ２０２）。
【００４９】
次に、閾下情報制御部１１１は、作業用表示データと閾下情報を表示部２１０に供給し、作業者の意識にのぼる情報としての作業画面と、作業者の意識にはのぼらない閾下情報が表示部２１０に表示させるよう制御する（ステップＳ２０３）。
【００５０】
表示部２１０は、閾下情報制御部１１１の制御の下に作業画面と閾下情報を表示する（ステップＳ２０４）。
【００５１】
以上で、制御装置１０１は、閾下情報提示の動作を終了する。
【００５２】
次に、本発明の第２の実施の形態の効果について説明する。
【００５３】
上述した本実施形態における制御装置１０１は、作業者が行っている作業の種類に基づいて、最適に作業者の作業の生産性を向上できる。
【００５４】
その理由は、以下のような構成を含むからである。即ち、第１に閾下情報選択部１３０は、作業情報処理部２２０の処理内容、例えばどのアプリケーションを実行しているかを判断して、処理内容に最も適した閾下情報を選択する。第２に、閾下情報制御部１１１は、作業画面と、閾下情報選択部１３０が選択した閾下情報を表示部２１０に出力する。したがって、情報処理装置２０１は、処理内容に最も適した閾下情報を表示するので、制御装置１０１は、作業者が行っている作業の種類に基づいて、最適に作業者の作業の生産性を向上できるという効果が得られる。
【００５５】
［第３の実施形態］
次に、本発明の第３の実施形態について図面を参照して詳細に説明する。以下、本実施形態の説明が不明確にならない範囲で、前述の説明と重複する内容については説明を省略する。
【００５６】
図６は、本発明の第３の実施形態に係る生産性を向上させる制御装置１０２およびそれを使用する情報処理装置２０２の構成を示すブロック図である。なお、この第３の実施の形態は、第２の実施の形態の閾下情報選択部を備えていてもよい。
【００５７】
図６を参照すると、本実施形態における制御装置１０２は、第１の実施形態のそれと比べて、補色画面制御部１４０を新たに備える。また、閾下情報制御部１１０に代えて、機能が一部異なる閾下情報制御部１１２を備える。
【００５８】
補色画面制御部１４０は、閾下情報制御部１１２（または閾下情報選択部）から受信した閾下情報を表示する直前の作業画面の情報に基づいて、閾下情報を表示する直前の作業画面の色と補色関係になるように色を配置した補色画面を生成し、閾下情報制御部１１２に送信する。
【００５９】
閾下情報制御部１１２は、第１の実施形態における閾下情報制御部１１０の機能に加えて、作業者の意識にのぼる情報としての作業画面と、作業者の意識にはのぼらない閾下情報を、表示部２１０に出力する前に、閾下情報を表示する直前の作業画面の情報を補色画面制御部１４０に送信する。また、補色画面制御部１４０から受信した補色画面を、当該の閾下情報の直前に挿入し、表示部２１０に表示するよう制御する。
【００６０】
次に、制御装置１０２の動作について図７に示すフローチャートを参照して説明する。
【００６１】
図７は、第３の実施の形態における制御装置１０２での閾下情報提示の動作の概要を示すフローチャートである。尚、このフローチャートによる処理は、前述したＣＰＵによるプログラム制御に基づいて、実行されても良い。
【００６２】
図７に示すように、まず、閾下情報制御部１１２は、作業者に提示する閾下情報を閾下情報記憶部１２０から取得する（ステップＳ３０１）。
【００６３】
次に、閾下情報制御部１１２は、作業情報処理部２２０から、表示部２１０に表示させる作業用表示データを受信する（ステップＳ３０２）。
【００６４】
次に、閾下情報制御部１１２は、作業者の意識にのぼる情報としてのステップＳ１０２で受信した作業用表示データに、意識にはのぼらないステップＳ１０１で取得した閾下情報を挿入する（ステップＳ３０３）。
【００６５】
次に、閾下情報制御部１１２は、閾下情報を表示する直前の作業画面の情報を補色画面制御部１４０に送信する（ステップＳ３０４）。
【００６６】
次に、補色画面制御部１４０は、ステップＳ３０４で受信した作業画面の情報に基づいて、作業画面の色と補色関係になるように色を配置した補色画面を生成し、閾下情報制御部１１２に送信する（ステップＳ３０５）。
【００６７】
次に、閾下情報制御部１１２は、ステップＳ３０５で受信した補色画面を、当該の閾下情報の直前に挿入し、表示部２１０に表示させるよう制御する（ステップＳ３０６）。
【００６８】
次に、表示部２１０は、閾下情報制御部１１０の制御の下に作業画面と補色画面と閾下情報を表示する（ステップＳ３０７）。
【００６９】
以上で、制御装置１０２は、閾下情報提示の動作を終了する。
【００７０】
次に、本発明の第３の実施の形態の効果について説明する。
【００７１】
上述した本実施形態における制御装置１０１は、作業画面の色が閾下情報の色の効果に影響することを防止できる。
【００７２】
その理由は、以下のような構成を含むからである。即ち、第１に補色画面制御部１４０は、閾下情報を表示する直前の作業画面の情報に基づいて、作業画面の色と補色関係になるように色を配置した補色画面を生成する。第２に、閾下情報制御部１１１は、作業画面と、補色画面と、閾下情報選択部１３０が選択した閾下情報を表示部２１０に出力する。第３に、補色画面は、直前の作業画面の色と補色関係になるように色を配置されている。したがって、直前の作業画面の色の残像が補色画面によりリセットされるので、作業画面の色が閾下情報の色の効果に影響することを防止できるという効果が得られる。
【００７３】
以上説明した、本発明の各実施形態における各構成要素は、その機能をハードウェア的に実現することはもちろん、プログラム制御に基づくコンピュータ装置、ファームウェアで実現することができる。プログラムは、磁気ディスクや半導体メモリなどのコンピュータ可読記録媒体に記録されて提供され、コンピュータの立ち上げ時などにコンピュータに読み取られる。この読み取られたプログラムは、そのコンピュータの動作を制御することにより、そのコンピュータを前述した各実施の形態における構成要素として機能させる。
【００７４】
以上、各実施の形態を参照して本発明を説明したが、本発明は上記実施の形態に限定されるものではない。本発明の構成や詳細には、本発明のスコープ内で当業者が理解しえる様々な変更をすることができる。
【００７５】
たとえば、以上の各実施形態で説明した各構成要素は、必ずしも個々に独立した存在である必要はない。例えば、各構成要素は、複数の構成要素が１個のモジュールとして実現されたり、一つの構成要素が複数のモジュールで実現されたりしてもよい。また、各構成要素は、ある構成要素が他の構成要素の一部であったり、ある構成要素の一部と他の構成要素の一部とが重複していたり、といったような構成であってもよい。
【００７６】
また、以上説明した各実施形態では、複数の動作をフローチャートの形式で順番に記載してあるが、その記載の順番は複数の動作を実行する順番を限定するものではない。このため、各実施形態を実施するときには、その複数の動作の順番は内容的に支障しない範囲で変更することができる。
【００７７】
さらに、以上説明した各実施形態では、複数の動作は個々に相違するタイミングで実行されることに限定されない。例えば、ある動作の実行中に他の動作が発生したり、ある動作と他の動作との実行タイミングが部分的に乃至全部において重複していたりしていてもよい。
【００７８】
さらに、以上説明した各実施形態では、ある動作が他の動作の契機になるように記載しているが、その記載はある動作と他の動作の全ての関係を限定するものではない。このため、各実施形態を実施するときには、その複数の動作の関係は内容的に支障のない範囲で変更することができる。また各構成要素の各動作の具体的な記載は、各構成要素の各動作を限定するものではない。このため、各構成要素の具体的な各動作は、各実施形態を実施する上で機能的、性能的、その他の特性に対して支障をきたさない範囲内で変更されて良い。
【符号の説明】
【００７９】
１００、１０１、１０２    制御装置
１１０、１１１、１１２    閾下情報制御部
１２０    閾下情報記憶部
１３０    閾下情報選択部
１４０    補色画面制御部
２００、２０１、２０２    情報処理装置
２１０    表示部
２２０    作業情報処理部
【図１】
2015018526.tif 000003
【図２】
2015018526.tif 000004
【図３】
2015018526.tif 000005
【図４】
2015018526.tif 000006
【図５】
2015018526.tif 000007
【図６】
2015018526.tif 000008
【図７】
2015018526.tif 000009